(57)【特許請求の範囲】
【請求項１】
固定側に取付けられたチャネル形の固定側メンバと可動側に取付けられたチャネル形の可動側メンバとがスライド可能に組付けられ、固定側メンバに可動側メンバのスライド域を規制するストッパ突起が設けられ、可動側メンバにストッパ突起に係合するストッパ片が設けられてなるスライドレールのストッパ装置において、ストッパ片は可動側メンバに回動可能に軸支される軸支部と指が掛けられて操作される操作部との間に弾性変形される湾曲片形の変形部が形成されており、可動側メンバのスライド方向への引張操作により一部が弾性変形してストッパ突起への係合が離脱されるものであることを特徴とするスライドレールのストッパ装置。
【請求項２】
固定側に取付けられたチャネル形の固定側メンバと可動側に取付けられたチャネル形の可動側メンバとがスライド可能に組付けられ、固定側メンバに可動側メンバのスライド域を規制するストッパ突起が設けられ、可動側メンバにストッパ突起に係合するストッパ片が設けられてなるスライドレールのストッパ装置において、ストッパ片は可動側メンバにスライド可能に支持される支持部と指が掛けられて操作される操作部との間から弾性変形される足片形の変形部が突出して形成されており、可動側メンバのスライド方向への引張操作により一部が弾性変形してストッパ突起への係合が離脱されるものであることを特徴とするスライドレールのストッパ装置。
【請求項３】
固定側に取付けられたチャネル形の固定側メンバと可動側に取付けられたチャネル形の可動側メンバとがスライド可能に組付けられ、固定側メンバに可動側メンバのスライド域を規制するストッパ突起が設けられ、可動側メンバにストッパ突起に係合するストッパ片が設けられてなるスライドレールのストッパ装置において、ストッパ片は可動側メンバに回動可能に軸支される軸支部が設けられた第１部材と指が掛けられて操作される操作部が設けられた第２部材とを備え、ストッパ片の第１部材，第２部材の連結部分に弾性変形される変形部が設けられており、可動側メンバのスライド方向への引張操作により一部が弾性変形してストッパ突起への係合が離脱されるものであることをことを特徴とすることを特徴とするスライドレールのストッパ装置。
【発明の詳細な説明】
【０００１】
【発明の属する技術分野】
本発明は、引出し等のスライドを案内するスライドレールのスライド域を規制するストッパ装置に係る技術分野に属する。
【０００２】
【従来の技術】
比較的大型の家具，機器類の引出構造部には、スライドを円滑に案内したりスライドの荷重を軽減するためにスライドレールが装備される。そして、スライドレールの端部には、引出構造部の本体部からの不測の脱落を防止するために、スライドレールのスライド域を規制するストッパ装置が備えられる。
【０００３】
一般的に、スライドレールは、固定側（本体部）に取付けられたチャネル形の固定側メンバと、可動側（引出構造部）に取付けられたチャネル形の可動側メンバとがスライド可能に組付けられてなる。また、ストッパ装置は、固定側メンバに設けられたストッパ突起と、可動側メンバに設けられてストッパ突起に係合するストッパ片とからなる。
【０００４】
ストッパ装置のストッパ片は、可動側を固定側から完全に離脱させることを可能にするために、一定の操作によりストッパ突起への係合が離脱されるように構成されている。
【０００５】
従来、スライドレールのストッパ装置としては、例えば、以下に記載のものが知られている。
【特許文献１】
実公平３−１７５２８号号公報。
特許文献１には、ストッパ片を回動操作することによりストッパ片の一部を弾性変形させてストッパ突起への係合を離脱させるスライドレールのストッパ装置が記載されている。
【特許文献２】
実用新案登録第２５０４１６３号公報。
特許文献２には、ストッパ片を回動操作することによりストッパ片を変移させてストッパ突起への係合を離脱させるスライドレールのストッパ装置が記載されている。
【特許文献３】
登録実用新案第３０４０２０２号公報。
特許文献３には、ストッパ片を押圧操作することによりストッパ片を変移させてストッパ突起への係合を離脱させるスライドレールのストッパ装置が記載されている。
【０００６】
【発明が解決しようとする課題】
特許文献１，特許文献２に係るスライドレールのストッパ装置では、可動側の左右で共通のストッパ片を配置すると、回動方向が左右で逆になって操作性が低下してしまうため、左右専用のストッパ片を用意しなければならず製造コストが高くなってしまうという問題点がある。また、特許文献３に係るスライドレールのストッパ装置では、ストッパ片をチャネル形の狭いメンバの内部で押圧操作することから、操作ストロークを充分に確保することができないため、ストッパ片の操作を確実に行うことができないという問題点がある。
【０００７】
本発明は、このような問題点を考慮してなされたもので、左右勝手がなく確実な操作が可能なストッパ片を備えたスライドレールのストッパ装置を提供することを課題とする。
【０００８】
【課題を解決するための手段】
前述の課題を解決するため、本発明に係るスライドレールのストッパ装置は、次のような手段を採用する。
【０００９】
即ち、請求項１では、固定側に取付けられたチャネル形の固定側メンバと可動側に取付けられたチャネル形の可動側メンバとがスライド可能に組付けられ、固定側メンバに可動側メンバのスライド域を規制するストッパ突起が設けられ、可動側メンバにストッパ突起に係合するストッパ片が設けられてなるスライドレールのストッパ装置において、ストッパ片は可動側メンバに回動可能に軸支される軸支部と指が掛けられて操作される操作部との間に弾性変形される湾曲片形の変形部が形成されており、可動側メンバのスライド方向への引張操作により一部が弾性変形してストッパ突起への係合が離脱されるものであることを特徴とする。
【００１０】
この手段では、ストッパ片を引張操作するため、可動側の左右で共通のストッパ片を配置しても操作方向が同一となる。また、ストッパ片が長さのある可動側メンバのスライド方向への引張操作されしかもストッパ片の一部が弾性変形するため、操作ストロークを充分に確保することができる。また、湾曲片形の変形部が伸展するように弾性変形することで、ストッパ片のストッパ突起への係合が離脱される。
【００１１】
また、請求項２では、固定側に取付けられたチャネル形の固定側メンバと可動側に取付けられたチャネル形の可動側メンバとがスライド可能に組付けられ、固定側メンバに可動側メンバのスライド域を規制するストッパ突起が設けられ、可動側メンバにストッパ突起に係合するストッパ片が設けられてなるスライドレールのストッパ装置において、ストッパ片は可動側メンバにスライド可能に支持される支持部と指が掛けられて操作される操作部との間から弾性変形される足片形の変形部が突出して形成されており、可動側メンバのスライド方向への引張操作により一部が弾性変形してストッパ突起への係合が離脱されるものであることを特徴とする。
【００１２】
この手段では、足片形の変形部が傾倒するように弾性変形しストッパ片の全体がスライドすることで、ストッパ片のストッパ突起への係合が離脱される。
【００１３】
また、請求項３では、固定側に取付けられたチャネル形の固定側メンバと可動側に取付けられたチャネル形の可動側メンバとがスライド可能に組付けられ、固定側メンバに可動側メンバのスライド域を規制するストッパ突起が設けられ、可動側メンバにストッパ突起に係合するストッパ片が設けられてなるスライドレールのストッパ装置において、ストッパ片は可動側メンバに回動可能に軸支される軸支部が設けられた第１部材と指が掛けられて操作される操作部が設けられた第２部材とを備え、ストッパ片の第１部材，第２部材の連結部分に弾性変形される変形部が設けられており、可動側メンバのスライド方向への引張操作により一部が弾性変形してストッパ突起への係合が離脱されるものであることをことを特徴とすることを特徴とする。
【００１４】
この手段では、変形部が弾性変形で第１部材，第２部材の相対位置を変位させることで、ストッパ片のストッパ突起への係合が離脱される。
【００１５】
【発明の実施の形態】
以下、本発明に係るスライドレールのストッパ装置の実施の形態を図面に基づいて説明する。
【００１６】
図１〜図５は、本発明に係るスライドレールのストッパ装置の実施の形態（１）を示すものである。
【００１７】
この実施の形態は、家具の引出構造部に装備された一般的なスライドレールに適用されたものを示してある。
【００１８】
この実施の形態のスライドレールは、固定側（本体部）Ａに取付けられた相対的に大きなチャネル形の固定側メンバ１と、可動側（引出構造部）Ｂに取付けられた相対的に小さなチャネル形の可動側メンバ２とがスライド可能に組付けられてなる。これ等の固定側メンバ１，可動側メンバ２は、図４に示されるように、断面がほぼコ字形に形成され開放側を対面させるように差込み嵌合されて組付けられている。なお、固定側メンバ１，可動側メンバ２の間には、必要に応じて、サブ可動側メンバやボールベアリング付きの中間メンバが組付けられる。
【００１９】
固定側メンバ１の前方側の端部付近には、方形突起形のストッパ突起３が取付けられている。このストッパ突起３は、可動側メンバ２のコ字形の両端部に位置する側片部２ａに対するスペーサ４と合成樹脂材でブロック形に一体成形されている。
【００２０】
可動メンバ２の後方側の端部付近には、ストッパ突起３に係合するストッパ片５が取付けられている。このストッパ片５は、可動メンバ２のコ字形の中央部に位置する中央帯体２ｂに穿孔され取付孔２ｃにビス６で回動可能に支持されている。ストッパ片５は、合成樹脂材等で一体成形されたもので、ビス６が挿通され挿通孔である軸支部５ａから後部５ｂ，当接部５ｃ，係止部５ｄ，変形部５ｅ，操作部５ｆ，ガイド突起５ｇが延びている。後部５ｂは、舌片形に形成され前方端に可動側メンバ２の側片部２ａに当接する当接部５ｃと当接部５ｃとほぼ直角をなしてストッパ突起３に係止する係止部５ｄとが設けられている。変形部５ｅは、湾曲片形に形成されて後部５ｂ（当接部５ｃ，係止部５ｄ）と操作部５ｆとを繋いでいる。操作部５ｆは、円板５ｆ’に円弧形の指掛け５ｆ”が設けられている。ガイド突起５ｇは、可動メンバ２の中央帯体２ｂに穿孔されたガイド長孔２ｄに挿通される円柱形からなるもので、操作部５ｆの円板５ｆ’の裏側に突出されている。
【００２１】
この実施の形態によると、図１に示すように、ストッパ突起３，ストッパ片５が係止した状態でストッパ片５の操作部５ｆが固定側ｂから露出するように設定しておき、可動メンバ２のスライド方向（前方方向）へストッパ片５の操作部５ｆを引張することにより、ストッパ片５のストッパ突起３への係合を離脱させることができる（図２参照）。
【００２２】
ストッパ片５の操作では、操作部５ｆが大きな面積の円板５ｆ’で可動メンバ２の中央帯体２ｂを滑らせることと、円板５ｆ’の滑る方向がガイド突起５ｇ（可動メンバ２のガイド長孔２ｄ）で規制されることで、操作部５ｆが無用な方向へ移動されることなく正確に引張される。また、操作部５ｆに指掛け５ｆ”が設けられているため、操作も容易である。
【００２３】
ストッパ片５が引張操作されると、ストッパ片５の変形部５ｅが伸展するように弾性変形して、係止部５ｄがストッパ突起３から離脱移動することになる。従って、ストッパ片５が長さのある可動メンバ２のスライド方向へ引張操作されることとの相乗で、操作ストロークが充分に確保されることになる。この結果、ストッパ片５の操作を確実に行うことができる。
【００２４】
さらに、この実施の形態によると、共通のストッパ片５を可動側Ｂの左右に配置したとしても、ストッパ片５を引張操作することに変わりがないため、左右勝手がなくなる。従って、左右専用のストッパ片５を用意する必要がなくなって、製造コストが安価になる。
【００２５】
なお、ストッパ片５の後部５ｂは、当接部５ｃとの関係でストッパ突起３に対して傾斜した姿勢となっているため、固定側Ａから完全に離脱させた可動側Ｂを再び固定側Ａに差込む際に、ストッパ突起３に当接して変形部５ｅを徐々に弾性変形させて、当接部５ｃのストッパ突起３の通過を図ることができる（図５参照）。
【００２６】
図６，図７は、本発明に係るスライドレールのストッパ装置の実施の形態（２）を示すものである。
【００２７】
この実施の形態では、前述の実施の形態（１）の軸支部５ａが長孔形の支持部５ｈになっている。また、ストッパ片５の変形部５ｅが後部５ｂ，操作部５ｆの間ではなく後部５ｂから足片形に延びている。なお、操作部５ｆの形状についても、全体が円弧形に変更されている。
【００２８】
この実施の形態によると、ストッパ片５の操作部５ｆの引張操作による変形部５ｅの弾性片形９によって、ストッパ片５の全体が少しスライドしてストッパ突起から離脱することになる。
【００２９】
図８，図９は、本発明に係るスライドレールのストッパ装置の実施の形態（３）を示すものである。
【００３０】
この実施の形態では、ストッパ片５が第１部材５１，第２部材５２の二部材で構成されている。
【００３１】
第１部材５１には、軸支部５ａ，後部５ｂ，第１変形部５ｅ’に加えて、第２部材が連結される三角形の連結窓５ｉが設けられている。第１変形部５ｅ’は、足片形に形成され後部５ｂから延びている。第２部材５２には、操作部５ｆ，第２変形部５ｅ”が設けられている。第２変形部５ｅ”は、第１部材５１の連結窓５ｉとの連結部をも兼ねて三角バネ形に形成されている。
【００３２】
この実施の形態によると、ストッパ片５の操作部５ｆの引張操作によって、２つの変形部（第１変形部５ｅ’，第２変形部５ｅ”）が弾性変形するため、ストッパ片５の操作感触が柔らかく良好になる。
【００３３】
【発明の効果】
以上のように、本発明に係るスライドレールのストッパ装置は、ストッパ片を引張操作することから、可動側の左右で共通のストッパ片を配置しても操作方向が同一となるため、左右勝手がなくなる効果がある。また、この効果により、ストッパ片の製造コストが低減される効果が生ずる。
【００３４】
さらに、ストッパ片が長さのある可動側メンバのスライド方向への引張操作されしかもストッパ片の一部が弾性変形されることから、操作ストロークを充分に確保することができるため、ストッパ片を確実に操作することができる効果がある。
【図面の簡単な説明】
【図１】  本発明に係るスライドレールのストッパ装置の実施の形態（１）を示す側面図である。
【図２】  図１の一部の拡大断面図である。
【図３】  図２の要部の分解斜視図である。
【図４】  図２の拡大断面図であり、（Ａ）はＸ−Ｘ線に沿うもので（Ｂ）はＹ−Ｙ線に沿うものである。
【図５】  図２の他動作状態図である。
【図６】  本発明に係るスライドレールのストッパ装置の実施の形態（２）を示す断面図である。
【図７】  図６の要部の斜視図である。
【図８】  本発明に係るスライドレールのストッパ装置の実施の形態（３）を示す断面図である。
【図９】  図８の要部の分解斜視図である。
【符号の説明】
１         固定側メンバ
２         可動側メンバ
３            ストッパ突起
５            ストッパ片
【図１】
0003727929.tif 000002
【図２】
0003727929.tif 000003
【図３】
0003727929.tif 000004
【図４】
0003727929.tif 000005
【図５】
0003727929.tif 000006
【図６】
0003727929.tif 000007
【図７】
0003727929.tif 000008
【図８】
0003727929.tif 000009
【図９】
0003727929.tif 000010